(57)【要約】【課題】今までにない態様で遊技球を振り分ける遊技機を提供する。【解決手段】シーソー役物３０の上方に、遊技球流路５４を流下してきた遊技球が入り込む凹状の皿部６１と、皿部６１に開設された２つの孔６２ａ、６２ｂとを備えた送球部材３１を設けるとともに、その２つの孔６２ａ、６２ｂをどちらもシーソー体３３上に開設し、後側に位置する孔６２ａを通過した遊技球はシーソー体３３の後部上に、前側に位置する孔６２ｂを通過した遊技球はシーソー体３３の前部上に夫々落下するようにした。また、孔６２ｂの直径を、孔６２ａの直径よりも小さくしており、皿部６１内へ進入した遊技球が、孔６２ｂよりも高い確率で孔６２ａを通過するようにした。【選択図】図５
2019000472.tif 000002
【特許請求の範囲】
【請求項１】
モータと、遊技球が通過可能な通路部を有する通路手段と、前記モータの駆動に応じて、前記通路手段を、前記通路部の両端部が交互に上下動するように前記モータの軸と平行な軸周りで揺動させる駆動機構手段とを備えた可動遊技手段が設けられており、
前記可動遊技手段が、前記通路部上に達した遊技球を、前記通路部の何れか一端側へ振り分ける遊技機であって、
前記通路部の上方に、前記通路部上へ遊技球を落下させる孔を備えた送球手段が設けられているとともに、
前記送球手段において、前記孔が、前記通路部に沿って複数設けられていることを特徴とする遊技機。
【請求項２】
少なくとも１つの前記孔の直径が、他の前記孔の直径とは異なっていることを特徴とする請求項１に記載の遊技機。
【請求項３】
前記送球手段が、凹状の皿部を備えており、
前記孔が、前記皿部内に設けられていることを特徴とする請求項１又は２に記載の遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機としては、遊技領域内を流下する遊技球を、第１の側と、第１の側よりも遊技者にとって有利な第２の側へ振り分ける振分手段を備えたものがある。そして、そのような振分手段としては、たとえば特許文献１に記載されているように、所定の方向へ長い帯状の部材を、その長手方向での略中央部で軸支するとともに、当該中央部を軸として長手方向での両端部を交互に下げるといった所謂シーソーのように作動させることにより、遊技球を一方の端部側へ流下させたり、他方の端部側へ流下させたりする（すなわち遊技球を振り分ける）ものがある。
【先行技術文献】
【特許文献】
【０００３】
【特許文献１】特開２００７−２７５４１２号公報
【発明の概要】
【発明が解決しようとする課題】
【０００４】
しかしながら、現在において、上記従来の振分手段を用いた振分態様に目新しさはなくなっており、新たな遊技性が求められている。
【０００５】
そこで、本発明は、上記問題に鑑みなされたものであって、今までにない態様で遊技球を振り分ける遊技機を提供しようとするものである。
【課題を解決するための手段】
【０００６】
上記目的を達成するために、本発明のうち請求項１に記載の発明は、モータと、遊技球が通過可能な通路部を有する通路手段と、前記モータの駆動に応じて、前記通路手段を、前記通路部の両端部が交互に上下動するように前記モータの軸と平行な軸周りで揺動させる駆動機構手段とを備えた可動遊技手段が設けられており、前記可動遊技手段が、前記通路部上に達した遊技球を、前記通路部の何れか一端側へ振り分ける遊技機であって、前記通路部の上方に、前記通路部上へ遊技球を落下させる孔を備えた送球手段が設けられているとともに、前記送球手段において、前記孔が、前記通路部に沿って複数設けられていることを特徴とする。
請求項２に記載の発明は、請求項１に記載の発明において、少なくとも１つの前記孔の直径が、他の前記孔の直径とは異なっていることを特徴とする。
請求項３に記載の発明は、請求項１又は２に記載の発明において、前記送球手段が、凹状の皿部を備えており、前記孔が、前記皿部内に設けられていることを特徴とする。
【発明の効果】
【０００７】
本発明によれば、所謂シーソーのように揺動する通路手段の通路部の上方に、通路部上へ遊技球を落下させる孔を備えた送球手段を設けるとともに、当該孔を、通路部に沿って複数設けている。したがって、従来のように揺動する通路手段のみによって遊技球を振り分けるだけではなく、その通路手段上への遊技球の落下からして複数態様あるような従来にない振り分けを行う遊技機とすることができる。
また、請求項２に記載の発明によれば、直径の異なる孔があるため、さらに斬新な態様で遊技球は振り分けられることになり、従来よりも遊技性の高い遊技機とすることができる。
さらに、請求項３に記載の発明によれば、送球手段が凹状の皿部を備えており、その皿部内に孔を設けているため、送球手段が所謂クルーンのように作用することになる。したがって、皿部内で遊技球が転動し、どの孔を通過して通路部上に落下するのかを遊技者に楽しませることができるような極めて高い遊技性を有する遊技機とすることができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】第１大入賞装置を前面側から示した説明図である。
【図５】第１大入賞装置のシーソー装置部分を拡大して示した説明図である。
【図６】送球部材を上方から示した説明図である。
【図７】シーソー役物において、シーソー体が前方へ向かって下降傾斜する後傾姿勢にある状態を示した説明図である。
【図８】シーソー役物において、シーソー体が後方へ向かって下降傾斜する前傾姿勢にある状態を示した説明図である。
【図９】シーソー体が後傾姿勢をとった場合における駆動機構部を示した説明図である。
【図１０】シーソー体が後傾姿勢をとった場合における駆動機構部を示した説明図である。
【図１１】シーソー体が前傾姿勢をとった場合における駆動機構部を示した説明図である。
【図１２】シーソー体が前傾姿勢をとった場合における駆動機構部を示した説明図である。
【図１３】モータが１回転する際のシーソー体の動作を示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。図２は、遊技盤２を前面側から示した説明図である。図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の上寄りとなる位置には、「０」〜「９」の数字からなる図柄や種々のメッセージ等を表示するための表示部６ａ、６ａを備えた表示装置６が設置されている。さらに、表示装置６の下方で遊技領域１６の中央部から下部にかけて、遊技球が進入する進入口５１、５１、各進入口５１を開閉する羽根部材５２、進入口５１、５１から進入した遊技球を合流させる合流路５３、５３、合流路５３、５３の下流端から分岐しつつ下方へ延びる遊技球流路５４、シーソー役物３０（図４に示す）を始めとした種々の電動装置、シーソー役物３０へ遊技球を送り込むための送球部材３１（図４に示す）、遊技球が通過可能な特別領域５６、及びアウト口５７、５７等を備えた第１大入賞装置２６が設置されている。
【００１２】
また、表示装置６及び第１大入賞装置２６の左方には、遊技球が流下可能で、遊技球が入賞可能な抽選入賞口１９、及び複数の普通入賞口８４、８４・・等が設置された左打ち用スペースＳＬが形成されており、この左打ち用スペースＳＬを流下させることで、抽選入賞口１９への遊技球の入賞が狙えるようになっている。一方、表示装置６及び第１大入賞装置２６の右方にも遊技球が流下可能な右打ち用スペースＳＲが形成されている。この右打ち用スペースＳＲには、遊技球が通過可能なゲート部材２０、開閉動作する可動片を有する可動入賞装置１７、遊技球の特別領域５６の通過に起因して開成する第２大入賞装置１８、及び普通入賞口８４が設置されている。そして、この右打ち用スペースＳＲを流下させることで、ゲート部材２０を通過させたり、開動作している可動入賞装置１７へ入賞させたり、開成している第２大入賞装置１８へ入賞させたりすることができるようになっている。なお、左打ち用スペースＳＬや右打ち用スペースＳＲには、多数の遊技釘が植設されている。また、第１大入賞装置２６への遊技球の入賞は、左打ち用スペースＳＬ及び右打ち用スペースＳＲのどちらを流下させても、ほぼ同じ確率で狙うことができる。さらに、遊技領域１６の最下端には、当該位置まで到達した遊技球を遊技領域１６外へ排出するための排出口４７が設けられている。
【００１３】
また、機枠３の前面側であって上記遊技盤２の下方には、発射装置１０へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。
さらに、前扉４の上部には、効果音や各種メッセージ等を報音する夫々一対のスピーカ１４、１４が設けられている。加えて、前扉４の左右両側部には、パチンコ機１の遊技状態等に応じて点灯・点滅する複数のＬＥＤを内蔵したランプ部材１５、１５・・が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、表示装置６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１５】
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させ（所謂左打ちを行い）、抽選入賞口１９への遊技球の入賞を狙う。また、遊技球が抽選入賞口１９へ入賞すると、表示装置６に所定の小当たり表示がなされた後に、羽根部材５２、５２が作動して進入口５１、５１が開放される（すなわち、第１大入賞装置２６が開成する）。そこで、左打ちを継続し、第１大入賞装置２６の左側から遊技球の第１大入賞装置２６への進入（第１大入賞装置２６への入賞）、ひいては特別領域５６の通過を狙う。そして、遊技球が特別領域５６を通過すると、表示装置６に所定のボーナス獲得表示がなされた後、今度は第２大入賞装置１８が所定回数にわたり断続的に開成する所謂「大当たり状態」が生起する。そこで、遊技者は、遊技球を右打ち用スペースＳＲへ打ち込んで流下させる所謂右打ちを行い、断続的に開成する第２大入賞装置１８への遊技球の入賞を狙う。なお、第１大入賞装置２６へ進入したものの、特別領域５６を通過できない遊技球は、何れかのアウト口５７を介して遊技盤２の後面側へ排出される。
【００１６】
また、大当たり状態が終了すると、ゲート部材２０への遊技球の通過検知に起因して実行される所謂当たり抽選の結果が「当たり」となりやすく、可動入賞装置１７が頻繁に開状態となって遊技球の入賞が可能となる所謂サポート状態が生起する。そこで、遊技者は右打ちを継続し、ゲート部材２０への遊技球の通過、及び頻繁に開状態となる可動入賞装置１７への遊技球の入賞を狙う。そして、遊技球が可動入賞装置１７へ入賞すると、表示装置６に所定の小当たり表示がなされた後に、羽根部材５２、５２が作動して進入口５１、５１が開放されるため、右打ちを継続し、第１大入賞装置２６の右側から遊技球の第１大入賞装置２６への進入、ひいては特別領域５６の通過を狙う。
【００１７】
上記サポート状態は、羽根部材５２、５２が作動することによる第１大入賞装置２６の開成回数が所定回数に達するまで継続される。したがって、サポート状態中に遊技球が特別領域５６を通過する度に、大当たり状態の生起、及び大当たり状態の終了に伴うサポート状態の生起がループすることになる。一方、サポート状態中に遊技球が特別領域５６を通過することなく、第１大入賞装置２６の開成回数が所定回数に達すると、サポート状態は終了となり、ゲート部材２０への遊技球の通過検知に起因して実行される当たり抽選の結果が「当たり」となりにくく（或いは「当たり」とならず）、可動入賞装置１７がほぼ開状態とならない（或いは開状態になることがない）遊技開始当初の通常状態へ復帰する。そのため、遊技者は、右打ちを止めて左打ちを行う上記遊技へと戻る。
【００１８】
さらに、第１大入賞装置２６内のシーソー役物３０は、第１大入賞装置２６へ遊技球が進入した／しないや、遊技状態が通常状態／サポート状態の何れであるか等に拘わらず、電源投入時から一定の動作パターンにしたがって常に動作している（たとえば、後述するモータ３５が一定速度で逆回転しつづけている）。そして、第１大入賞装置２６へ進入した遊技球が送球部材３１へ到達すると、当該遊技球は、後述の如くしてシーソー役物３０のシーソー体３３上へ落下するとともに、落下時のシーソー役物３０におけるシーソー体３３の姿勢等によって、第１通路４１へ流下したり、第２通路４２へ流下したりする（すなわち、シーソー装置により振り分けられる）。
【００１９】
（シーソー装置の説明）
ここで、本発明の要部となるシーソー装置について、図４〜図１３にもとづき詳細に説明する。
図４は、第１大入賞装置２６を前面側から示した説明図である。図５は、第１大入賞装置２６のシーソー装置部分を拡大して示した説明図である。図６は、送球部材３１を上方から示した説明図である。図７は、シーソー役物３０において、シーソー体３３が前方へ向かって下降傾斜する後傾姿勢にある状態を示した説明図である。図８は、シーソー体３３が後方へ向かって下降傾斜する前傾姿勢にある状態を示した説明図である。図９及び図１０は、シーソー体３３が後傾姿勢をとった場合における駆動機構部を示した説明図である。図１１及び図１２は、シーソー体３３が前傾姿勢をとった場合における駆動機構部を示した説明図である。図１３は、モータ３５が１回転する際のシーソー体３３の動作を示した説明図である。
【００２０】
シーソー装置は、シーソー役物３０と送球部材３１とを備えてなる。
まず送球部材３１について説明すると、送球部材３１は、所謂クルーン状に成形された部材であって、遊技球流路５４を流下してきた遊技球が入り込む凹状の皿部６１と、皿部６１に開設された２つの孔６２ａ、６２ｂとを備えている。２つの孔６２ａ、６２ｂは、どちらも後述するシーソー体３３上に開設されており（すなわち、孔６２ａと孔６２ｂはシーソー体３３が延びる方向へ所定の間隔を隔てて開設されており）、後側に位置する孔６２ａはシーソー体３３の後部の直上に、前側に位置する孔６２ｂはシーソー体３３の前部の直上に夫々位置している。また、孔６２ｂの直径は、孔６２ａの直径よりも小さくなっている（具体的には、孔６２ａの直径φ１＝２．０ｍｍ、孔６２ｂの直径φ２＝１．４ｍｍ）。さらに、この送球部材３１の後側が、送球部材３１よりも上流側の遊技球流路５４に連結されており、遊技球流路５４を流下してきた遊技球を、孔６２ａに近い位置から皿部６１内へ進入させるようになっている。したがって、皿部６１内へ進入した遊技球は、孔６２ｂよりも高い確率で孔６２ａを通過する（すなわち、高い確率でシーソー体３３の後部上へ落下する）。
【００２１】
次にシーソー役物３０について説明すると、シーソー役物３０は、シーソー体３３上へ落下してきた遊技球を、第１通路４１と、該第１通路４１よりも遊技者にとって有利な第２通路４２との何れか一方へ振り分けて流下させるためのものであって、左右方向を軸として前後で揺動するシーソー体３３と、シーソー体３３の動作に連動する装飾可動体３４と、シーソー体３３及び装飾可動体３４を作動させる駆動機構部とを備えている。
【００２２】
駆動機構部は、モータ３５と、モータ３５の回転を伝達する第１アーム３６と、第１アーム３６の回転をシーソー体３３へ伝達する第２アーム３７とを備えてなる。第１アーム３６は、帯状の短アーム部３６ａと、その一端の表面に設けられ、モータ３５の軸に装着可能な装着部３６ｂと、短アーム部３６ａの他端における表面で、装着部３６ｂとは反対側の表面に設けられた突起状の連係軸部３６ｃとを有する。第２アーム３７は、第１アーム３６よりも長い帯状の長アーム部３７ａを有している。また、該長アーム部３７ａの中央部には、長アーム部３７ａの長手方向へ沿って延びる長孔状の連係孔３７ｂが穿設されている。さらに、長アーム部３７ａの一端には、第２アーム３７の回転中心となる回転軸部３７ｃが設けられている。加えて、回転軸部３７ｃには、長アーム部３７ａとは相反する方向へ突出する突出片が設けられており、該突出片の表面には、突起状の作動軸部３７ｄが設けられている。なお、回転軸部３７ｃから見ると、連係孔３７ｂを有する長アーム部３７ａが所定の放射方向へ延びており、作動軸部３７ｄが、長アーム部３７ａとは異なる（ここでは相反する）放射方向へ延びて設けられている。
【００２３】
シーソー体３３は、前後方向に延びる板状の底部と、底部の長手方向（前後方向）両側縁に沿って立設される壁部３３ｂ、３３ｂとに囲まれた通路状に形成され、遊技球が底部上を長手方向に沿って移動可能とした通路部３３ａを有している。また、通路部３３ａの下面における前後方向での中央部には、シーソー体３３の揺動中心となる揺動軸部３３ｃが、通路部３３ａを短手方向（左右方向）へ横切るように設けられている。さらに、通路部３３ａから下方へむかって作動壁３３ｄが延設されており、当該作動壁３３ｄにおける揺動軸部３３ｃよりも後側には、揺動軸部３３ｃを中心とした放射方向であり、後側へむかうにつれて下方に傾斜する方向へ延びる長孔状の作動孔３３ｅが穿設されている。加えて、作動壁３３ｄにおける揺動軸部３３ｃよりも前側には、装飾可動体３４が連結される連結部３３ｆが設けられている。
【００２４】
装飾可動体３４は、前後方向が厚み方向となる帯状で、上下方向へ延びる可動アーム３４ａと、腕に似せて成形された装飾部３４ｂとを有している。そして、可動アーム３４ａの下端部には、シーソー体３３の連結部３３ｆに連結される被連結部（図示せず）が設けられている一方、可動アーム３４ａの上端部の表面には、装飾部３４ｂが組み付けられる取付部３４ｃが設けられている。また、装飾部３４ｂには、左右方向に延びる腕の基端部（お玉杓子を持つ側が先端部）から後方（腕に直交する方向）へ突出しており、前後方向を軸とした装飾部３４ｂの回動中心となる回動軸部３４ｄが設けられている。さらに、回動軸部３４ｄの先端（後端）には、回動軸部３４ｄの回動中心から偏心した位置から後側へ突出する突起を備えた被取付部３４ｅが設けられている。
【００２５】
そして、上記駆動機構部、シーソー体３３、及び装飾可動体３４を備えたシーソー役物３０は、次のようにして組み立てられる。
まず、第１大入賞装置２６のカバー４０に固定される固定体（図示せず）にモータ３５を略左右方向を軸として回転するような姿勢で取り付けるとともに、その軸に第１アーム３６の装着部３６ｂを装着し、モータ３５を回転させた際、第１アーム３６がモータ３５の回転面と平行な面内で回転するようにする。一方、上記固定体におけるモータ３５の取付位置とは別の箇所で、モータ３５の回転中心から偏心した位置に、第２アーム３７の回転軸部３７ｃを、モータ３５の回転面と平行な面内で回転するように軸着する。そして、第１アーム３６の連係軸部３６ｃを、第２アーム３７の連係孔３７ｂに挿通させ、第１アーム３６と第２アーム３７とを連係させる。すると、モータ３５の回転に伴い第１アーム３６が回転した際、連係軸部３６ｃが連係孔３７ｂ内をスライドしつつ第２アーム３７に回転力を伝えることになり、第２アーム３７も回転軸部３７ｃを中心として回転する。なお、第２アーム３７の回転に際し、作動軸部３７ｄは、モータ３５の回転中心よりも常に第２アーム３７の回転軸部３７ｃ側にある。すなわち、回転軸部３７ｃと作動軸部３７ｄとの間を、モータ３５の回転中心が通過することはない。
【００２６】
また、上記固定体におけるモータ３５の取付位置及び第２アーム３７の軸着位置とは更に別の偏心箇所に、シーソー体３３の揺動軸部３３ｃを、第１アーム３６や第２アーム３７と同じく、モータ３５の回転面と平行な面内で揺動可能に軸着する。そして、第２アーム３７の作動軸部３７ｄを、シーソー体３３の作動孔３３ｅに挿通させ、第２アーム３７とシーソー体３３とを連係させる。したがって、モータ３５の回転に伴い第１アーム３６を介して第２アーム３７が回転した際、作動軸部３７ｄが作動孔３３ｅ内をスライドしつつシーソー体３３に回転力を伝えることになり、シーソー体３３が揺動軸部３３ｃを中心として両端部を交互に上下動させるような態様で揺動する。このとき、連係軸部３６ｃ、回転軸部３７ｃ、作動軸部３７ｄ、及び揺動軸部３３ｃが同一直線上に位置すると、シーソー体３３の通路部３３ａが水平となる。そして、シーソー体３３は、当該水平姿勢を基準として、モータ３５の回転中心、連係軸部３６ｃ、回転軸部３７ｃ、及び作動軸部３７ｄが同一直線上にあって、且つ、作動軸部３７ｄがモータ３５の回転中心に最も近づき（すなわち、モータ３５の回転中心と回転軸部３７ｃとの間に作動軸部３７ｄが位置し）、通路部３３ａが前下がりとなる前傾姿勢（図１１及び図１２に示す姿勢であって、第１傾斜姿勢）と、モータ３５の回転中心、連係軸部３６ｃ、回転軸部３７ｃ、及び作動軸部３７ｄが同一直線上にあって、且つ、作動軸部３７ｄがモータ３５の回転中心から最も離れ（すなわち、モータ３５の回転中心と作動軸部３７ｄとの間に回転軸部３７ｃが位置し）、通路部３３ａが後下がりとなる後傾姿勢（図９及び図１０に示す姿勢であって、第２傾斜姿勢）との間で揺動することになる。なお、シーソー体３３が水平姿勢にある際、第２アーム３７の連係孔３７ｂとシーソー体３３の作動孔３３ｅとは平行となる。
【００２７】
ここで、モータ３５を正回転（ここでは図１３中における右回りを正回転とし、図９〜図１２で示すモータ３５の回転は逆回転となる）させる際のシーソー体３３の揺動を時系列に述べる。
まず、シーソー体３３は、作動軸部３７ｄが揺動軸部３３ｃから最も離れており、回転軸部３７ｃと揺動軸部３３ｃとの間に位置しない（すなわち、揺動軸部３３ｃと作動軸部３７ｄとの間に回転軸部３７ｃが位置した）第１水平姿勢にあるものとする（図１３（Ａ））。ここからモータ３５が正回転すると、作動軸部３７ｄが回転軸部３７ｃと揺動軸部３３ｃとを結ぶ直線Ｌよりも上側へ移動するため、シーソー体３３は徐々に前下がりとなり、作動軸部３７ｄがモータ３５の回転中心と回転軸部３７ｃとの間に達したことをもって前傾姿勢をとる（図１３（Ｂ））。その後、再び作動軸部３７ｄが回転軸部３７ｃと揺動軸部３３ｃとを結ぶ直線Ｌへ近づくように下方へ移動するため、シーソー体３３は徐々に水平へ復帰し、作動軸部３７ｄが揺動軸部３３ｃに最も近づいており、回転軸部３７ｃと揺動軸部３３ｃとの間に位置したことをもって第２水平姿勢をとる（図１３（Ｃ））。それから、今度は作動軸部３７ｄが回転軸部３７ｃと揺動軸部３３ｃとを結ぶ直線Ｌよりも下側へ移動するため、シーソー体３３は徐々に後下がりとなり、作動軸部３７ｄがモータ３５の回転中心から最も離れた（すなわち、モータ３５の回転中心と作動軸部３７ｄとの間に回転軸部３７ｃが位置した）ことをもって後傾姿勢をとる（図１３（Ｄ））。その後、再び作動軸部３７ｄが回転軸部３７ｃと揺動軸部３３ｃとを結ぶ直線Ｌへ近づくように上方へ移動するため、シーソー体３３は徐々に水平へ復帰し、作動軸部３７ｄが揺動軸部３３ｃから最も離れたことをもって第１水平姿勢に復帰する（図１３（Ａ））。
【００２８】
一方、モータ３５を逆回転させる際のシーソー体３３の揺動を、正回転時の説明にあわせて水平姿勢、前傾姿勢、水平姿勢、後傾姿勢、水平姿勢の順で時系列に述べると、まず、シーソー体３３は第２水平姿勢にあるものとする（図１３（Ｃ））。ここからモータ３５の駆動に伴い、作動軸部３７ｄが回転軸部３７ｃと揺動軸部３３ｃとを結ぶ直線よりも上側へ移動するため、シーソー体３３は徐々に前下がりして前傾姿勢をとる（図１３（Ｂ））。その後、再び作動軸部３７ｄが回転軸部３７ｃと揺動軸部３３ｃとを結ぶ直線へ近づくように下方へ移動するため、シーソー体３３は徐々に水平へ復帰して第１水平姿勢をとる（図１３（Ａ））。それから、今度は作動軸部３７ｄが回転軸部３７ｃと揺動軸部３３ｃとを結ぶ直線よりも下側へ移動するため、シーソー体３３は徐々に後下がりとなって後傾姿勢をとる（図１３（Ｄ））。その後、再び作動軸部３７ｄが回転軸部３７ｃと揺動軸部３３ｃとを結ぶ直線へ近づくように上方へ移動するため、シーソー体３３は徐々に水平へ復帰して第２水平姿勢に復帰する（図１３（Ｃ））。
【００２９】
このようなシーソー体３３の揺動に係り、第２アーム３７の回転中心がモータ３５の回転中心から偏心しているため、前傾姿勢を経由して第１水平姿勢と第２水平姿勢との間で姿勢を変更する場合と、後傾姿勢を経由して第１水平姿勢と第２水平姿勢との間で姿勢を変更する場合とでモータ３５の回転角度が異なる。すなわち、本実施形態では、図１３からも明らかなように、前傾姿勢を経由する場合の方が、後傾姿勢を経由する場合よりもモータ３５の回転角度が小さくて済む。したがって、モータ３５を等速度で回転させると、シーソー体３３が前下がりしている時間が、後下がりしている時間よりも短くなる。このことは、モータ３５を正回転させても逆回転させても同じである。
【００３０】
また、シーソー体３３が水平姿勢から前傾姿勢（後傾姿勢も同様）へと姿勢を変更するに際し、第１水平姿勢から姿勢を変更する場合と第２水平姿勢から姿勢を変更する場合とで、作動軸部３７ｄと揺動軸部３３ｃとの距離が異なる。すなわち、第１水平姿勢から前傾姿勢へと姿勢を変更する場合よりも、第２水平姿勢から前傾姿勢へと姿勢を変更する場合の方が作動軸部３７ｄと揺動軸部３３ｃとの距離が近い。そのため、モータ３５を等速度で回転させると、第１水平姿勢から姿勢を変更する場合の方が、第２水平姿勢から姿勢を変更する場合よりも時間がかかる、言い換えるならシーソー体３３の姿勢変更に係る速度が遅いことになる。これは、前傾姿勢（後傾姿勢も同じ）から水平姿勢へと姿勢を変更する場合も同じである。つまり、前傾姿勢から第１水平姿勢へと姿勢を変更する場合の方が、前傾姿勢から第２水平姿勢へと姿勢を変更する場合の方が時間がかかる。
【００３１】
このことから、シーソー体３３は、モータ３５を正回転させたとしても逆回転させたとしても前傾姿勢と後傾姿勢との間で揺動を繰り返すものの、正回転の場合と逆回転の場合とで揺動に係る挙動が異なる。たとえば、モータ３５を正回転させた場合、第１水平姿勢から前傾姿勢を経由して第２水平姿勢へと姿勢を変更する一方、モータ３５を逆回転させた場合、第２水平姿勢から前傾姿勢を経由して第１水平姿勢へと姿勢を変更することになる。そのため、シーソー体３３が水平姿勢から前傾姿勢へと姿勢を変更する際のスピードは、モータ３５を逆回転させた場合の方が正回転させた場合よりも速く、前傾姿勢から水平姿勢へと姿勢を変更する際のスピードは、モータ３５を正回転させた場合の方が逆回転させた場合よりも速い。つまり、モータ３５を正回転させた場合、逆回転させた場合と比べると、シーソー体３３は比較的遅いスピードで水平姿勢から前傾姿勢となり、比較的速いスピードで前傾姿勢から水平姿勢へと復帰することになる。また、後傾姿勢へと姿勢を変更する際についても同様であり、モータ３５を正回転させた場合、逆回転させた場合と比べると、シーソー体３３は比較的速いスピードで水平姿勢から後傾姿勢となり、比較的遅いスピードで後傾姿勢から水平姿勢へと復帰することになる。したがって、モータ３５を正回転させた場合のシーソー体３３の挙動は、水平姿勢からゆっくり前下がりして前傾姿勢をとった後、速く水平姿勢へと復帰するとともに、水平姿勢から速く後下がりして後傾姿勢をとった後、ゆっくり水平姿勢へと復帰すると言える。一方、モータ３５を逆回転させた場合のシーソー体３３の挙動は、水平姿勢から速く前下がりして前傾姿勢をとった後、ゆっくり水平姿勢へと復帰するとともに、水平姿勢からゆっくり後下がりして後傾姿勢をとった後、速く水平姿勢へと復帰すると言える。
【００３２】
一方、シーソー体３３の連結部３３ｆに可動アーム３４ａの下端部を連結するとともに、可動アーム３４ａの取付部３４ｃに装飾部３４ｂの被取付部３４ｅを取り付けることにより、可動アーム３４ａと装飾部３４ｂとを一体化して装飾可動体３４を組み立てつつ、該装飾可動体３４をシーソー体３３に連結する。このとき、装飾部３４ｂの回動軸部３４ｄは、キャラクターの胴体に似せて成形され、上記固定体にネジ止めされた支持体３８に、略前後方向（シーソー体３３の揺動軸に直交する方向）を軸として回動可能に軸支させる。したがって、モータ３５の回転に伴いシーソー体３３が揺動した際、可動アーム３４ａが引っ張られて主に上下動し、該可動アーム３４ａの上下動に応じて装飾部３４ｂが回動軸部３４ｄを回転中心として上下に回動する。つまり、装飾可動体３４は、シーソー体３３と直交する軸周りで作動する。
【００３３】
そして、シーソー役物３０は、第１大入賞装置２６の内部において、上述したように送球部材３１の下側に設置されている。また、シーソー役物３０の下流側には、第１通路４１と第２通路４２とが設けられており、第１通路４１の上流端はシーソー体３３の後側に、第２通路４２の上流端はシーソー体３３の前側に夫々位置している。したがって、遊技球流路３２へ流下し、通路部３３ａ上へ落下した遊技球が後側へ移動すると第１通路４１へ流入し、前側へ移動すると第２通路４２へ流入することになる。
【００３４】
なお、第１通路４１及び第２通路４２の下流側には、前下がりの傾斜面とされた振分ステージ４３が設けられている。すなわち、両通路４１、４２は、振分ステージ４３で合流しており、振分ステージ４３へ到達した遊技球は更に下流側へ流下することになる。そして、振分ステージ４３の前縁で、振分ステージ４３の左右方向での中央部分に隣接した位置に、特別領域５６が設けられている。また、特別領域５６の左右両側には、アウト口５７へつづく排出路が開口している。さらに、振分ステージ４３の上面における左部と右部とには、表面に複数の障害突起を備えた障害板４５が夫々設けられており、各障害板４５は、上下方向を軸として回転している。加えて、振分ステージ４３の上方には、遊技球を振分ステージ４３上へ落下させるためのクルーン孔４４ａを備えたテーブル４４が設けられており、該テーブル４４は左右へ往復動作している。
【００３５】
そして、このテーブル４４が第１通路４１の下流端に位置しており、第１通路４１へ流入した遊技球は、テーブル４４上へ到達した後、左右に往復しているテーブル４４からクルーン孔４４ａを介して振分ステージ４３上へ落下する。その後、場合によっては回転する障害板４５に弾かれる等しつつ、振分ステージ４３上を前側へ転動し、最終的に特別領域５６や排出路へ至る。一方、第２通路４２の下流端は、振分ステージ４３の後縁で、特別領域５６の真後ろとなる位置（すなわち、左右の障害板４５、４５の間となる位置）に開口しており、第２通路４２へ流入した遊技球は、開口４２ａから振分ステージ４３上へ移動する。その後、ほぼ直線的に振分ステージ４３上を前側へ転動し、最終的に特別領域５６や排出路へ至る。したがって、第２通路４２から振分ステージ４３上へ移動した遊技球の方が、第１通路４１から振分ステージ４３上へ移動した遊技球よりも障害板４５、４５に衝突しづらく、且つ、振分ステージ４３上へ移動する際に左右方向へのぶれも少ないため、高い確率で特別領域５６を通過することになる。すなわち、遊技者にしてみると、第１通路４１よりも第２通路４２の方が有利であると言える。
【００３６】
ただ、シーソー装置では、上述したような送球部材３１により、遊技球流路５４を流下してきた遊技球は、高い確率でシーソー体３３の後部上に落下する。また、そのシーソー体３３は、前下がりの状態にある時間よりも後下がりの状態にある時間の方が長い。したがって、モータ３５の回転方向に拘わらず、通路部３３ａ上を後側へ、すなわち第１通路４１側へ移動しやすいようになっている。なお、上述したようにモータ３５を正回転させた場合と逆回転させた場合とでシーソー体３３の挙動が異なるため、モータ３５の回転方向に応じて第２通路４２へ遊技球が流入する確率は異なる。
【００３７】
（本実施形態のパチンコ機による効果）
以上のような構成を有するパチンコ機１によれば、シーソー役物３０の上方に、遊技球流路５４を流下してきた遊技球が入り込む凹状の皿部６１と、皿部６１に開設された２つの孔６２ａ、６２ｂとを備えた送球部材３１を設けるとともに、その２つの孔６２ａ、６２ｂをどちらもシーソー体３３上に開設し、後側に位置する孔６２ａを通過した遊技球はシーソー体３３の後部上に、前側に位置する孔６２ｂを通過した遊技球はシーソー体３３の前部上に夫々落下するようにしている。また、孔６２ｂの直径を、孔６２ａの直径よりも小さくしており、皿部６１内へ進入した遊技球が、孔６２ｂよりも高い確率で孔６２ａを通過するようにしている。したがって、従来の如く揺動するシーソー体３３のみによって遊技球を振り分けるだけではなく、そのシーソー体３３上への遊技球の落下からして複数態様あるような従来にない振り分けを行うことができ、たとえば皿部６１内で遊技球が転動し、どちらの孔６２ａ、６２ｂを通過してシーソー体３３上に落下するのかを遊技者に楽しませることができるような遊技性の高いパチンコ機１とすることができる。
【００３８】
また、シーソー体３３を揺動させるための駆動機構部として、モータ３５の回転中心から偏心した位置を中心としてモータ３５の軸と平行な軸周りで回転可能に取り付けられているとともに、当該回転中心から所定の放射方向へ延びてモータ３５側の第１アーム３６に連係する連係孔３７ｂを備えた長アーム部３７ａと、長アーム部３７ａとは相反する放射方向へ延びてシーソー体３３に連係する作動軸部３７ｄとを有する第２アーム３７を備えた。そして、モータ３５の正回転に応じて第２アーム３７が回転すると、シーソー体３３が、第１水平姿勢から前傾姿勢を経て第２水平姿勢となった後、第２水平姿勢から後傾姿勢を経て第１水平姿勢へ復帰する一方、モータ３５の逆回転に応じて第２アーム３７が回転すると、シーソー体３３が、第１水平姿勢から後傾姿勢を経て第２水平姿勢となった後、第２水平姿勢から前傾姿勢を経て第１水平姿勢へ復帰するようにした。すなわち、たとえばシーソー体３３が水平姿勢から前傾姿勢へと姿勢を変更する際、モータ３５を正回転させると第１水平姿勢から前傾姿勢へと姿勢を変更する一方、モータ３５を逆回転させると第２水平姿勢から前傾姿勢へと姿勢を変更することになる。そして、シーソー体３３が第１水平姿勢にある場合と第２水平姿勢にある場合とでは、作動軸部３７ｄと揺動軸部３３ｃとの距離が異なる。そのため、モータ３５を正回転させる場合と逆回転させる場合とで、シーソー体３３が水平姿勢から前傾姿勢へと姿勢を変更する際の速さが異なる。したがって、モータ３５の回転方向を変更することでシーソー体３３の揺動に係る挙動、ひいては遊技球を通路部３３ａの前側（後側）への振り分け確率を変更することができ、パチンコ機１の大当たり確率等といった所謂スペックの違いに応じて使い分けたり、パチンコ機１に新たな遊技性をもたせたりすることができる。
【００３９】
さらに、シーソー体３３の通路部３３ａの一端側から下方へ延びる第１通路４１と、他端側から下方へ延びる第２通路４２とを設けるとともに、第１通路４１と第２通路４２との下流側に、両通路４１、４２が合流した後、更に遊技球を流下させる振分ステージ４３を設け、さらに振分ステージ４３において、第１通路４１よりも第２通路４２を流下してきた遊技球の方が入賞確率が高い位置に、遊技球が入賞可能な特別領域５６を設けている。すなわち、遊技者にしてみると、シーソー役物３０において遊技球が第２通路４２へ振り分けられる方が望ましいことになる。そして、この第２通路４２へ振り分けられる確率を、モータ３５の回転方向を変更するだけで容易に変更することができる。
【００４０】
（本発明の変更例について）
なお、本発明の遊技機に係る構成は、上記実施形態に何ら限定されるものではなく、遊技機全体の構成は勿論、送球部材やシーソー役物の構造等に係る構成についても、本発明の趣旨を逸脱しない範囲で必要に応じて適宜変更可能である。
【００４１】
たとえば、上記実施形態では、駆動機構部として第１アームと第２アームとの２つのアームを設けているが３つ以上のアームを設けたり、ギアを介在させたりする等してもよく、駆動機構部を具体的にどのように構成するかについては適宜設計変更可能である。尚、第１アームや第２アームの形状についても上記実施形態の形状に何ら限定されることはない。
また、上記実施形態では、シーソー体を左右方向を軸として揺動させるように構成しているが、前後方向を軸として揺動させるようにしても何ら問題はない。加えて、可動遊技手段であるシーソー役物を複数個設けてもよいことは当然可能である。
【００４２】
さらに、第１通路や第２通路を設けることなく、たとえば通路部の一端側にアウト口を他端側に入賞口（始動入賞口でなくともよい）を設ける等してもよい。
さらにまた、第１通路や第２通路を設けるにあたってもどのような通路とするかは適宜変更可能であるし、テーブルの有無や振分ステージの形状、入賞口の数や位置等についても上記実施形態のものに何ら限定されない。
【００４３】
また、上記実施形態では、通路手段や送球手段を第１大入賞装置内に設けているが、たとえば所謂センター部材（遊技球を進入させる進入部と、当該遊技球を再び遊技領域内へ排出する排出部とを有する部材）の内部や遊技領域内等、他の位置に設けても何ら問題はない。
さらに、上記実施形態では、皿部内に孔を開設しているが、そのような皿部を設けず、直線状の遊技球流路に沿って複数の孔を開設するような構成を採用することも可能である。そして、その孔について、孔の数は勿論のこと、孔の直径をどうするかについても言うまでもなく設計変更可能であり、全て同じ直径の孔としても当然よいし、形状の異なる孔を設ける（たとえば丸孔と角孔とを設ける等）ことも可能である。
【００４４】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、通路手段、駆動機構手段、可動遊技手段、送球手段、孔等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、前記全ての要素のうちの複数の要素を適宜一体的に構成するか、もしくはひとつの要素を複数の要素に分けて構成するかは、敢えて特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００４５】
１・・パチンコ機（遊技機）、２６・・第１大入賞装置、３０・・シーソー役物（可動遊技手段）、３１・・送球部材（送球手段）、３３・・シーソー体（通路手段）、３５・・モータ、６１・・皿部、６２ａ、６２ｂ・・孔。
【図１】
2019000472.tif 000003
【図２】
2019000472.tif 000004
【図３】
2019000472.tif 000005
【図４】
2019000472.tif 000006
【図５】
2019000472.tif 000007
【図６】
2019000472.tif 000008
【図７】
2019000472.tif 000009
【図８】
2019000472.tif 000010
【図９】
2019000472.tif 000011
【図１０】
2019000472.tif 000012
【図１１】
2019000472.tif 000013
【図１２】
2019000472.tif 000014
【図１３】
2019000472.tif 000015